(57)【要約】【課題】表示装置の操作方法を熟知していないユーザーに対して、容易に操作を実施可能な分かりやすい操作方法を提供する。【解決手段】リモコン受信部１０２でリモコンキー信号を受信すると、処理判定部１０３では、ＧＵＩが表示されていない状態でリモコン上の所定キーのいずれかを受信した際にはＧＵＩの表示を指示し、既にＧＵＩが表示されている状態で所定キーのいずれかを受信した際には所定キーに対応する操作の実行を指示する。その指示をＧＵＩ表示部１０４と操作実行部１０５が受け、ＧＵＩの表示と操作実行を行ない、その結果を表示装置１０７に表示する。【選択図】図１
2008172388.tif 000002
【特許請求の範囲】
【請求項１】
リモコンのキー押下によるリモコン信号を受信するリモコン受信手段と、
ＧＵＩ（Ｇｒａｐｈｉｃａｌ  Ｕｓｅｒ  Ｉｎｔｅｒｆａｃｅ）が表示されていない状態で前記リモコン受信手段がリモコン上の所定キーのいずれかのリモコン信号を受信した際にはＧＵＩの表示を指示し、ＧＵＩが表示されている状態で前記リモコン受信手段が前記所定キーのいずれかのリモコン信号を受信した際には前記所定キーに対応する操作の実行を指示する処理判定手段と、
前記処理判定手段からの指示によりＧＵＩを表示するＧＵＩ表示手段と、
前記処理判定手段からの指示により前記所定キーに対応する操作を実行する操作実行手段と、
前記操作実行手段からの指示により映像を処理して出力する映像処理手段と、
前記ＧＵＩ表示手段で表示されたＧＵＩと前記映像処理手段から出力された映像信号とを重畳して画面に表示する表示手段と、
を具備することを特徴とする表示装置。
【請求項２】
前記ＧＵＩ表示手段は、ＧＵＩが表示されている状態で所定キーが押下されると、前記ＧＵＩの表示を消すことを特徴とする請求項１記載の表示装置。
【請求項３】
前記ＧＵＩ表示手段は、ユーザーへの操作方法を案内する操作ガイドを表示することを特徴とする請求項１または請求項２記載の表示装置。
【請求項４】
前記操作ガイドは、前記所定キー毎に、対応する操作を意味する表記がされていることを特徴とする請求項３記載の表示装置。
【請求項５】
前記所定キーは、リモコンの上キー、下キー、左キー、右キー、決定キー、戻るキー、カラーキー（青、赤、緑、黄）であることを特徴とする請求項１から請求項４のいずれかに記載の表示装置。
【請求項６】
リモコンのキー押下によるリモコン信号を受信するリモコン受信ステップと、
ＧＵＩが表示されていない状態で前記リモコン受信ステップがリモコン上の所定キーのいずれかのリモコン信号を受信した際にはＧＵＩの表示を指示し、ＧＵＩが表示されている状態で前記リモコン受信ステップが前記所定キーのいずれかのリモコン信号を受信した際には前記所定キーに対応する操作実行を指示する処理判定ステップと、
前記処理判定ステップからの指示によりＧＵＩを表示するＧＵＩ表示ステップと、
前記処理判定ステップからの指示により前記所定キーに対応する操作を実行する操作実行ステップと、
前記操作実行ステップからの指示により映像を処理して出力する映像処理ステップと、
前記ＧＵＩ表示手段で表示されたＧＵＩと前記映像処理手段から出力された映像信号とを重畳して画面に表示する表示ステップと、
を含むことを特徴とする表示方法。
【請求項７】
前記ＧＵＩ表示ステップは、ＧＵＩが表示されている状態で所定キーが押下されると、前記ＧＵＩの表示を消すことを特徴とする請求項６記載の表示方法。
【請求項８】
前記ＧＵＩ表示ステップは、ユーザーへの操作方法を案内する操作ガイドを表示することを特徴とする請求項６または請求項７記載の表示方法。
【請求項９】
前記操作ガイドは、前記所定キー毎に、対応する操作を意味する表記がされていることを特徴とする請求項８記載の表示方法。
【請求項１０】
前記所定キーは、リモコンの上キー、下キー、左キー、右キー、決定キー、戻るキー、カラーキー（青、赤、緑、黄）であることを特徴とする請求項６から請求項９のいずれかに記載の表示方法。
【請求項１１】
前記請求項６〜１０に記載の表示方法の各ステップをコンピュータに実行させるためのプログラムを記録したコンピュータ読み取り可能な記録媒体。
【発明の詳細な説明】
【技術分野】
【０００１】
本発明は、デジタル放送等を受信する放送受信装置を含む、動画や静止画などの映像表示装置に関し、ＧＵＩの表示方法、特に操作ガイドの表示機能に特徴を有する表示方法に関するものである。
【背景技術】
【０００２】
近年、デジタルテレビなどの放送受信装置では、放送の映像を表示するだけでなく、例えば通信回線による動画配信サービスのＶＯＤ（ビデオ・オン・デマンド）に対応した動画や、メモリーカード上に記録された静止画や動画などのコンテンツを受信装置上で再生して視聴するような機能への対応が進んでいる。しかし従来、デジタルテレビなどの放送受信装置は、ＤＶＤプレーヤーなどの再生専用装置とは異なり、リモコンボタン数の制約などにより再生キーや早送りキーなどの再生制御操作専用キーを備えることは希少であるため、このような場合には受信装置上での動画等のコンテンツ再生操作方法として、リモコンの既存キーで操作する必要がある。そこで、例えば、再生や早送りなどのアイコンボタンを操作パネル上に表示して、リモコンの上下左右キーによるカーソル移動によって再生制御を行うことが一般的であった。しかし、この技術ではカーソル移動の操作がユーザーにとっては煩雑であるという課題があり、それを解決するための技術として、例えば特許文献１に示されるように、リモコンの既存ボタンである上下左右／決定キーに再生、早送りなどの機能を割り当てることにより、カーソル移動の負担を軽減して、ユーザー操作性の向上が図られている。
【特許文献１】特開２００３−３０９７７８号公報（第３，４項、図３）
【発明の開示】
【発明が解決しようとする課題】
【０００３】
しかしこの特許文献１の例では、ユーザーが上下左右キーでの操作方法を熟知していなければ、再生中にどのように操作してよいかわからず、操作方法を熟知していないユーザーにとっては分かりにくいという課題がある。特に、近年のデジタルテレビなどの放送受信装置の高機能化に伴い、操作方法が複雑になりつつあるため、老若男女の誰もが簡単に操作可能で分かりやすい操作方法の提供が望まれている。
【０００４】
本発明は、このような点を鑑みてなされたものであり、リモコンの所定キーのいずれかが押されたら操作ガイドを表示する処理判定手段を備えることにより、操作方法が分からない場合であっても、リモコンの所定キーのいずれかを押せば表示画面上に操作ガイドが表示されるようにし、ユーザーに対して分かりやすい表示装置を提供することを目的とする。
【課題を解決するための手段】
【０００５】
本発明の請求項１に係る表示装置は、リモコンのキー押下によるリモコン信号を受信するリモコン受信手段と、ＧＵＩ（Ｇｒａｐｈｉｃａｌ  Ｕｓｅｒ  Ｉｎｔｅｒｆａｃｅ）が表示されていない状態で前記リモコン受信手段がリモコン上の所定キーのいずれかのリモコン信号を受信した際にはＧＵＩの表示を指示し、ＧＵＩが表示されている状態で前記リモコン受信手段が前記所定キーのいずれかのリモコン信号を受信した際には前記所定キーに対応する操作の実行を指示する処理判定手段と、前記処理判定手段からの指示によりＧＵＩを表示するＧＵＩ表示手段と、前記処理判定手段からの指示により前記所定キーに対応する操作を実行する操作実行手段と、前記操作実行手段からの指示により映像を処理して出力する映像処理手段と、前記ＧＵＩ表示手段で表示されたＧＵＩと前記映像処理手段から出力された映像信号とを重畳して画面に表示する表示手段とを具備することを特徴とする。
【０００６】
このような構成により、画面上にＧＵＩが表示されていない状態でリモコンの所定キーのいずれかが押された場合には、処理判定手段がＧＵＩの表示を指示して画面上にＧＵＩが表示され、また画面上にＧＵＩが表示されている状態でリモコンの所定キーのいずれかが押された場合には、所定キーに対応する映像処理の操作を実行することができる。
【０００７】
また、請求項２に係る表示装置は、請求項１の表示装置の構成において、ＧＵＩ表示手段は、ＧＵＩが表示されている状態で前記所定キーが押下されると、前記ＧＵＩの表示を消すことを特徴とする。このような構成により、ユーザーは任意のタイミングでＧＵＩの表示を消すことができる。
【０００８】
また、請求項３に係る表示装置は、請求項１または請求項２の表示装置の構成において、ＧＵＩ表示手段は、ユーザーへの操作方法を案内する操作ガイドを表示することを特徴とする。このような構成により、ＧＵＩとして操作ガイドを表示することができる。
【０００９】
また、請求項４に係る表示装置は、請求項３の表示装置の構成において、操作ガイドは、前記所定キー毎に、対応する操作を意味する表記がされていることを特徴とする。このような構成により、リモコンのどのボタンにどのような操作機能が割り当てられているかを簡単に認識することができる。
【００１０】
また、請求項５に係る表示装置は、請求項１から請求項４のいずれかの表示装置の構成において、所定キーは、リモコンの上キー、下キー、左キー、右キー、決定キー、戻るキー、カラーキー（青、赤、緑、黄）であることを特徴とする。このような構成により、リモコンのキーの内、選局時に普通に用いられる数字キーは、従来通りの選局動作を行うことでテレビとしての自然な操作性を保つとともに、操作ガイドが表示されていない状態において、数字キーの次によく用いられる上キー、下キー、左キー、右キー、決定キー、戻るキー、カラーキー（青、赤、緑、黄）のいずれかが押された場合には画面上に操作ガイドが表示され、操作ガイドが表示されている状態で、リモコンの上キー、下キー、左キー、右キー、決定キー、戻るキー、カラーキー（青、赤、緑、黄）のいずれかが押された場合には、それぞれのキーに対応する映像処理の操作として、再生、停止、一時停止、早送り、早戻し、チャプタースキップの操作を実行することができる。
【発明の効果】
【００１１】
本発明の表示装置は、リモコンの所定キーのいずれかが押されたら操作ガイドを表示する処理判定手段を設けることより、表示装置の操作方法を熟知していないユーザーであっても、操作ガイドが表示されていない状態にリモコンの所定キーのいずれかを押下することによって操作ガイドが表示されるようになるため、ユーザーはこの操作ガイドを見ながら早送りや一時停止などの操作を直感的に実施可能となり、分かりやすい操作方法を提供することができる。また、所定キーにより、それぞれのキーに対応する機器操作を実施することができる。さらに、所定のキーにより任意のタイミングで操作ガイドを消すことができる。
【発明を実施するための最良の形態】
【００１２】
（実施の形態１）
図１は、本発明の実施の形態１に係る表示装置の構成を示すブロック図である。図１において、１０１はリモコン、１０２はリモコン受信部、１０３は処理判定部、１０４はＧＵＩ表示部、１０５は操作実行部、１０６は映像処理部、１０７は表示部、１０８は表示装置から構成される。
【００１３】
図９は、本発明におけるリモコンの一例を示す模式図である。図９において、９０１は上キーボタン、９０２は下キーボタン、９０３は左キーボタン、９０４は右キーボタン、９０５は決定キーボタン、９０６は戻るキーボタン、９０７は青キーボタン、９０８は赤キーボタン、９０９は緑キーボタン、９１０は黄キーボタン、９１１はリモコンを示している。
【００１４】
以下、本発明の表示装置における動作について、図２に示すフローチャートを用いて説明する。ステップＳ２０１で、リモコンのキーコードを受信してステップＳ２０２へ移る。ステップＳ２０２で、処理判定を行い、操作実行指示と判定された場合にはステップＳ２０３へ移り、ＧＵＩ表示・非表示指示と判定された場合にはステップＳ２０５へ移る。ステップＳ２０３で、指示された映像操作の実行を行いステップＳ２０４へ移る。ステップＳ２０４で、映像処理を行いステップＳ２０９へ移る。一方、ステップＳ２０５で、ＧＵＩ表示指示の場合にはステップＳ２０６へ移り、ＧＵＩ表示指示ではない場合にはステップＳ２０７へ移る。ステップＳ２０６で、ＧＵＩを表示してステップＳ２０９へ移る。ステップＳ２０７で、ＧＵＩ非表示指示の場合にはステップＳ２０８へ移り、ＧＵＩ非表示指示ではない場合には終了する。ステップＳ２０８で、ＧＵＩを非表示してステップＳ２０９へ移る。ステップＳ２０９で、ステップＳ２０６のＧＵＩ表示の出力、またはステップＳ２０８のＧＵＩ非表示の出力をステップＳ２０４での映像処理出力に重畳して、ステップＳ２１０へ移る。ステップＳ２１０で、画面に表示して処理を終了する。
【００１５】
次に、本発明の表示装置における処理判定部の動作について、図３に示すフローチャートを用いて説明する。ステップＳ３０１で、リモコンのキーコードを入力し、ステップＳ３０２へ移る。ステップＳ３０２で、入力されたキーが所定キーかどうかを判別し、所定キーである場合にはステップＳ３０３へ移り、所定キーではない場合には、ステップＳ３０１のリモコンキーコード入力待ちに戻る。ステップＳ３０３で、入力されたキーが表示を消す操作に該当するキーの場合にはステップＳ３０７に移り、それ以外のキーの場合にはステップＳ３０４へ移る。ステップＳ３０４で、ＧＵＩが表示されているかどうかを判定し、ＧＵＩが表示されている場合にはステップＳ３０５へ移り、ＧＵＩが表示されていない場合にはステップＳ３０６へ移る。ステップＳ３０５で、所定キーに該当する操作の実行を指示し、図２のステップＳ２０３へ移り、処理判定部の処理を終了する。また、ステップＳ３０６で、ＧＵＩ表示を指示してステップＳ２０５へ移り、処理判定部の処理を終了する。一方、ステップＳ３０７で、ＧＵＩが表示されているかどうかを判定し、ＧＵＩが表示されている場合にはステップＳ３０８へ移り、ＧＵＩが表示されていない場合には、ステップＳ３０１のリモコンキーコード入力待ちに戻る。ステップＳ３０８で、ＧＵＩ非表示を指示してステップＳ２０５へ移り、処理判定部の処理を終了する。
【００１６】
次に、本発明の表示装置におけるリモコンの所定キー割り当ての一例について、図４を用いて説明する。図４において、４０１の列はリモコンキー項目、４０２の列は操作指示内容の項目を示している。この例では、それぞれのリモコンキーとして、上キーが「一時停止」、下キーが「停止」、左キーが「早戻し」、右キーが「早送り」、決定キーが「再生」、戻るキーが「表示を消す」、青キーが「前スキップ」、赤キーが「次スキップ」、緑キーが「何もしない」、黄キーが「何もしない」を表している。したがって、図１の処理判定部１０３および、図２の処理判定ステップＳ２０２では、ＧＵＩが表示されていない状態で図４の列４０１におけるいずれかのリモコンキーを受信した場合には、ＧＵＩの表示を指示し、ＧＵＩが表示されている状態で図４の列４０１におけるいずれかのリモコンキーを受信した場合には、該当する操作の指示を行う。例えば、ＧＵＩが表示されていない状態でユーザーが決定キーを押下した場合にはＧＵＩが表示され、さらにＧＵＩが表示されている状態で決定キーを押下した場合には再生の操作を行うことができる。同様に、ＧＵＩが表示されていない状態でユーザーが右キーを押下した場合にはＧＵＩが表示され、さらにＧＵＩが表示されている状態で右キーを押下した場合には早送りの操作を行うことができる。なお、図４は、キー割り当ての一例を示したに過ぎず、必ずしもこの割り当てでなくてもよい。
【００１７】
図５は、本発明の表示装置におけるＧＵＩ表示部の表示として操作ガイドを表示した場合の画面表示の一例である。図５で、５０１は上キー（一時停止）、５０２は下キー（停止）、５０３は左キー（早戻し）、５０４は右キー（早送り）、５０５は決定キー（再生）、５０６は戻るキー（表示を消す）、５０７は青キー（前スキップ）、５０８は赤キー（次スキップ）、５０９は緑キー、５１０は黄キー、５１１はＧＵＩ（操作ガイドパネル）を示している。この例では、図４の所定キー割り当てに対応付けして操作ガイドを表記している。したがって、本発明を実施する場合には、所定キーの割り当てと操作ガイドの表記を対応させるのが望ましい。
【００１８】
図６は、本発明の表示装置における操作ガイドパネルと映像とを重畳表示した一例である。図６において、６０１は操作ガイドパネル、６０２は映像画面、６０３は表示画面を示している。図６の例では、操作ガイドパネル６０１を不透明にして映像画面６０２と重畳表示しているが、これに限らず、操作ガイドパネル６０１を半透明や透明にして６０２の映像画面と重畳表示してもよい。また、図６の例では、操作ガイドパネル６０１を表示画面の下側の領域に表示しているが、表示画面の上側の領域や中央の領域など画面上のどの領域に表示してもよい。
【００１９】
次に、本発明の表示装置におけるユーザー操作時の一例について、図７に示す状態遷移図を用いて説明する。図７において、７０１は停止状態、７０２は再生状態、７０３は再生状態（ガイド表示あり）、７０４は早戻し状態、７０５は早戻し状態（ガイド表示あり）、７０６は早送り状態、７０７は早送り状態（ガイド表示あり）、７０８は一時停止状態、７０９は一時停止状態（ガイド表示あり）を示している。また、図７における１〜７の符号は、それぞれユーザーによるリモコン操作を示し、１は所定キー押下（操作ガイド表示）、２は戻るキー押下（操作ガイド非表示）、３は決定キー押下（再生操作）、４は上キー押下（一時停止操作）、５は左キー押下（早戻し操作）、６は右キー押下（早送り操作）、７は下キー押下（停止操作）を示している。ここで、１所定キー押下の操作における所定キーとは、図４の４０１列のいずれかのキーのことである。
【００２０】
まず７０１の状態から再生が開始すると、７０２の状態になる。７０２の状態において、再生中にユーザーが早送りや一時停止などの操作をしようとして、リモコンの所定キーのいずれかを押下すると、操作ガイドが表示されて７０３の状態になる。同様に、７０４の状態において、早戻し処理中にユーザーが再生や早送りなどの操作をしようとして、リモコンの所定キーのいずれかを押下すると、操作ガイドが表示されて７０５の状態になる。同様に、７０６の状態において、早送り処理中にユーザーが再生や一時停止などの操作をしようとして、リモコンの所定キーのいずれかを押下すると、操作ガイドが表示されて７０７の状態になる。同様に、７０８の状態において、一時停止中にユーザーが再生や早戻しなどの操作をしようとして、リモコンの所定キーのいずれかを押下すると、操作ガイドが表示されて７０９の状態になる。
【００２１】
次に、操作ガイドが表示されている状態における所定キー押下時の動作について説明する。例えば７０３の状態では、図５に示すような操作ガイドパネルが表示されているので、この操作ガイドの表記に従い、一時停止の操作を行う場合には、上キーを押すと一時停止処理が実行されて７０９の状態になる。また、７０３の状態において、早送りの操作を行う場合には、右キーを押すと早送り処理が実行されて７０７の状態になる。また、７０３の状態において、早戻しの操作を行う場合には、左キーを押すと早戻し処理が実行されて７０５の状態になる。また、７０３の状態において、操作ガイドパネルを非表示にしたい場合には、戻るキーを押すと操作ガイドパネルが非表示となり７０２の状態になる。同様に、７０５、７０７、７０９のそれぞれの状態において、再生の操作を行う場合には、決定キーを押すと再生処理が実行されて７０３の状態になる。また、７０５、７０７のそれぞれの状態において、一時停止の操作を行う場合には、上キーを押すと一時停止処理が実行されて７０９の状態になる。また、７０５、７０９のそれぞれの状態において、早送りの操作を行う場合には、右キーを押すと早送り処理が実行されて７０７の状態になる。また、７０７、７０９のそれぞれの状態において、早戻しの操作を行う場合には、左キーを押すと早戻し処理が実行されて７０５の状態になる。
【００２２】
以上のように、７０２、７０４、７０６、７０８の状態では、操作ガイドが表示されていないのでユーザーはどのように操作してよいか分からないことがあっても、本発明によって、所定キーのいずれかのキーを押下することによって操作ガイドが表示されて７０３、７０５、７０７、７０９の状態のようになるため、その後は操作ガイドの表記に従って操作を容易に行うことが可能となる。
【００２３】
なお、図７では、７０５の状態において左キーを押下した場合についての状態遷移は７０５の状態のままとしているが、早戻しの倍速をアップするなどの操作を実行してもよい。また、７０７の状態において右キーを押下した場合についての状態遷移は７０７の状態のままとしているが、早送りの倍速をアップするなどの操作を実行してもよい。また、７０１の状態からの再生開始時の状態遷移は７０２の状態に移るとしているが、７０３の状態に移る動作としてもよい。
【００２４】
次に、本発明の表示装置におけるチャプタースキップ操作時の一例について、図８に示す状態遷移図を用いて説明する。以下、説明の簡略化のために、図８はチャプター１、チャプター２、チャプター３の章を含む動画コンテンツの再生シーンを想定して説明する。図８において、８０１はチャプター１再生状態、８０２はチャプター２再生状態、８０３はチャプター３再生状態、８０４はチャプター１再生状態（ガイド表示あり）、８０５はチャプター２再生状態（ガイド表示あり）、８０６はチャプター３再生状態（ガイド表示あり）を示している。また、図８における１〜９の符号は、１〜７は図７の１〜７の操作と同一であり、８は青キー押下（前スキップ）、９は赤キー押下（次スキップ）を示している。
【００２５】
例えば、図７の７０２の再生状態から時間が経過してチャプター２を再生する図８の８０２の状態になったとする。この８０２の状態で、ユーザーが再生制御の操作をしようとして、リモコンの所定キーのいずれかを押下すると、操作ガイドが表示されて８０５の状態になる。８０５の状態において、チャプターを１つ前にスキップさせる場合には、チャプター２の再生中に青キーを押すとチャプターが１つ前にスキップしてチャプター１の再生が実行され、８０４の状態になる。また、８０５の状態において、チャプターを１つ次にスキップさせる場合には、チャプター２の再生中に赤キーを押すとチャプターが１つ次にスキップしてチャプター３の再生が実行され、８０６の状態になる。また、８０５の状態において、操作ガイドパネルを非表示にしたい場合には、戻るキーを押すと操作ガイドパネルが非表示されて８０２の状態になる。同様に、８０１の状態において、チャプター１の再生中にユーザーが再生制御の操作をしようとして、リモコンの所定キーのいずれかを押下すると、操作ガイドが表示されて８０４の状態になる。同様に、８０３の状態において、チャプター３の再生中にユーザーが再生制御の操作をしようとして、リモコンの所定キーのいずれかを押下すると、操作ガイドが表示されて８０６の状態になる。８０４、８０５、８０６の状態のように操作ガイドが表示されている場合には、決定キー、上キー、左キー、右キー、下キーのそれぞれを押すと、図７のそれぞれのキーに対応した画面状態になる。なお、８０４の状態では、青キーを押してチャプター１の前へスキップしようとしても、この例の場合にはチャプター０は存在しないので、チャプター１を再生したままの８０４の状態になる。８０６の状態では、赤キーを押してチャプター３の次へスキップしようとしても、この例の場合にはチャプター４は存在しないので、チャプター３を再生したままの８０６の状態になる。
【００２６】
なお、本実施の形態では、表示するＧＵＩとして操作ガイドについて説明したが、ＧＵＩは操作ガイドに限るものではなく、例えば「メニュー」等の他のＧＵＩについても適用できる。「メニュー」のＧＵＩは、「メニューキー」の押下により表示されるが、メニューの操作自体は「上下左右・決定キー」により操作するものであり、ユーザーが視聴中に「上下左右・決定キー」などの所定キーのいずれかのキー押下によって「メニュー」のＧＵＩが表示され、「メニュー」のＧＵＩが表示された状態では「上下左右・決定キー」によってメニュー上の項目選択が可能となる。
【００２７】
なお、操作ガイドの表示判定用にリモコンボタンに２段式ボタンなどの複雑な構成を設ける必要がないため、図９のような通常のリモコンでの応用が可能である。
【産業上の利用可能性】
【００２８】
本発明の表示装置は、表示装置の操作方法を熟知していないユーザーであっても、操作ガイドが表示されていない状態にリモコンの所定キーのいずれかを押下することによって操作ガイドが表示されるようになるため、ユーザーはこの操作ガイドを見ながら早送りや一時停止などの操作を直感的に実施可能となり、分かりやすい操作方法を提供するという特徴を有しており、ＶＯＤ（ビデオ・オン・デマンド）などの動画再生装置以外にも、ＳＤなどのメモリーカード上の動画や静止画の再生操作などの用途にも適用できるため有用である。
【図面の簡単な説明】
【００２９】
【図１】本発明の表示装置の構成を示すブロック図
【図２】本発明の表示装置の動作を示すフローチャート
【図３】本発明の表示装置における処理判定部の動作を示すフローチャート
【図４】本発明の表示装置におけるリモコンの所定キー割り当ての一例を示す模式図
【図５】本発明の表示装置における操作ガイドの画面表示の一例を示す模式図
【図６】本発明の表示装置における操作ガイドと映像との重畳表示の一例を示す模式図
【図７】本発明の表示装置におけるユーザー操作時の一例を示す状態遷移図
【図８】本発明の表示装置におけるチャプタースキップ操作時の一例を示す状態遷移図
【図９】本発明の表示装置におけるリモコンの一例を示す模式図
【符号の説明】
【００３０】
１０１    リモコン
１０２    リモコン受信部
１０３    処理判定部
１０４    ＧＵＩ表示部
１０５    操作実行部
１０６    映像処理部
１０７    表示部
１０８    表示装置
４０１    リモコンキーの項目
４０２    操作指示内容の項目
５０１    上キー（一時停止）
５０２    下キー（停止）
５０３    左キー（早戻し）
５０４    右キー（早送り）
５０５    決定キー（再生）
５０６    戻るキー（表示を消す）
５０７    青キー（前スキップ）
５０８    赤キー（次スキップ）
５０９    緑キー
５１０    黄キー
５１１    ＧＵＩ（操作ガイドパネル）
６０１    操作ガイドパネル
６０２    映像画面
６０３    表示画面
７０１    停止状態
７０２    再生状態
７０３    再生状態（ガイド表示あり）
７０４    早戻し状態
７０５    早戻し状態（ガイド表示あり）
７０６    早送り状態
７０７    早送り状態（ガイド表示あり）
７０８    一時停止状態
７０９    一時停止状態（ガイド表示あり）
８０１    チャプター１再生状態
８０２    チャプター２再生状態
８０３    チャプター３再生状態
８０４    チャプター１再生状態（ガイド表示あり）
８０５    チャプター２再生状態（ガイド表示あり）
８０６    チャプター３再生状態（ガイド表示あり）
９０１    上キー
９０２    下キー
９０３    左キー
９０４    右キー
９０５    決定キー
９０６    戻るキー
９０７    青キー
９０８    赤キー
９０９    緑キー
９１０    黄キー
９１１    リモコン
１    所定キー押下（操作ガイド表示）
２    戻るキー押下（操作ガイド非表示）
３    決定キー押下（再生操作）
４    上キー押下（一時停止操作）
５    左キー押下（早戻し操作）
６    右キー押下（早送り操作）
７    下キー押下（停止操作）
８    青キー押下（前スキップ）
９    赤キー押下（次スキップ）
【図１】
2008172388.tif 000003
【図２】
2008172388.tif 000004
【図３】
2008172388.tif 000005
【図４】
2008172388.tif 000006
【図５】
2008172388.tif 000007
【図６】
2008172388.tif 000008
【図７】
2008172388.tif 000009
【図８】
2008172388.tif 000010
【図９】
2008172388.tif 000011